(57)【要約】【課題】高周波交換式直流整流器の変圧器構造の提供。【解決手段】高周波交換式（スイッチ式DC）直流整流器の変圧器構造設計であって、特に、大電流低電圧の変圧器構造で、主に、環形鉄心（鉄粉心、或いは、ナノ結晶、或いは、アモルファスシリコン）により、一次側銅線巻き線方式、及び、新開発の本来は、銅線、或いは、銅板巻き線方式を用いる二次側をモジュール式（モジュールブロック方式）設計に換えて変圧器を組成し、モジュール内部は冷却水管を設置して、熱量を冷却水により運び、変圧器を正常な操作温度に維持して、変圧器の効率を向上させ、また、節電効果を達成すると共に、変圧器の体積を縮小して、重量を軽減し、特に、変圧器内は、冷却水管により冷却し、冷却水は回収でき、汚染を生成しない。【選択図】    図１
0003145591.tif 000002
【実用新案登録請求の範囲】
【請求項１】
高周波交換式直流整流器、大電流低電圧のの変圧器構造であって、主に、環形鉄心（鉄粉心、或いは、ナノ結晶、或いは、アモルファスシリコン）により、一次側銅線巻き線方式、及び、二次側モジュール方式により組成され、その特徴は、前記二次側モジュールは、環槽を形成し、前記一次側コイルの環形鉄心を置入すると共に、冷却進水孔と冷却排水孔を設置して、高周波変圧器の大電流が生成する熱量を、二次側モジュールの冷却方式により、熱量を水で奪い、節電効果を達成することを特徴とする変圧器構造。
【請求項２】
前記高周波変圧器は、二次側モジュール内部に冷却水管を設置することを特徴とする請求項１に記載の変圧器構造。
【請求項３】
前記冷却水管は内から外に延伸し、且つ、少なくとも、進水孔と排水孔を形成し、前記変圧器を正常な操作温度に冷却し、前記変圧器に最高効率を発揮させることを特徴とする請求項２に記載の変圧器構造。
【考案の詳細な説明】
【技術分野】
【０００１】
本考案は、高周波スイッチ式直流整流器の変圧器改良構造に関するものであって、特に、環形鉄心（鉄粉心、或いは、ナノ結晶、或いは、アモルファスシリコン）により形成する変圧器で、鉄心は、一次側導電金属（銅線）巻き線方式、及び、二次側により大電流低電圧を出力し、二次側は、モジュール式、或いは、モジュールブロック方式により形成される新規の変圧器に関するものである。
【背景技術】
【０００２】
公知のDC直流大電流低電圧整流器の変圧器構造は、主に、SCRシリコン制御整流器により制御され、主に、大電流低電圧の直流電源（出力１〜５０V、１A〜５００００A）、或いは、高周波交換式（スイッチ式DC）直流整流器に用いられる。その用途は、主に、表面処理（電気鍍金）に応用され、PBC電気鍍金、IC電気鍍金、連続電気鍍金、金属鍍金、電解、充電器、電着塗装等である。
【０００３】
SCRシリコン制御整流器の変圧器は、主に、シリコンスチール片を変圧器の鉄心とし、導電金属材料により、一次側用銅線巻き線方式、二次側用銅線巻き線方式により組成され、大電流低電圧に対応するため、SCRシリコン制御整流器の変圧器は、鉄損、及び、銅損が高く、効率が低く、電気、エネルギー消耗が激しい。また、体積も非常に大きく、大電流低電圧整流時に高温を生成するので、一般に、冷却装置を必要とし、例えば、強風ファンにより冷却するが、騒音を生じる。オイル式冷却方式を採用すると、汚染が生じ、整流効率も低い。
【考案の開示】
【考案が解決しようとする課題】
【０００４】
本考案の目的は、高周波交換式（スイッチ式DC）直流整流器の変圧器改良構造を提供し、特に、大電流低電圧の高周波交換式整流器に適用する変圧器の新設計を提供し、上述の問題を改善することである。
【課題を解決するための手段】
【０００５】
上述の目的を達成するため、本考案の高周波交換式直流整流器の変圧器構造は、主に、環形鉄心（鉄粉心、或いは、ナノ結晶、或いは、アモルファスシリコン）により、一次側銅線巻き線方式、及び、二次側（本来は、銅線、或いは、銅板巻き線方式により出力）新開発のモジュール、或いは、モジュールブロックにより組成され、且つ、二次側モジュール、或いは、二次側モジュールブロック内部は、水により冷却し、環形鉄心、及び、一次側コイルと二次側モジュールが、同時に、正常な温度を維持し、変圧器の効率を向上させ、節電効果を達成すると共に、変圧器の体積を縮小して、重量を軽減し、特に、変圧器内は、冷却水管により冷却し、冷却水は回収でき、汚染を生成しない。
【考案の効果】
【０００６】
本考案による変圧器は、正常な温度を維持し、変圧器の効率を向上させ、節電効果を達成すると共に、変圧器の体積を縮小して、重量を軽減し、特に、変圧器内は、冷却水管により冷却し、冷却水は回収でき、汚染を生成しない。
【考案を実施するための最良の形態】
【０００７】
まず、図１は、本考案の立体分解図で、主に、環形鉄心１、及び、二次側モジュール２からなり、環形鉄心１は、一次側用銅線巻き線方式により、一次側コイル１０を形成し、二次側モジュール２は、両半円のモジュールブロック２１，２２を組み合わせてなり、中央に、環槽２０を形成して、結合端は絶縁材料２３により隔離する。二次側モジュール２上に、冷却進水孔２１０、及び、冷却排水孔２２０を設置する。
【０００８】
次に、図２で示されるように、本考案と公知のSCRシリコン制御整流器は、シリコンスチール片により変圧器を生成し、高周波交換式（スイッチ式DC）直流整流器の大電流低電圧方式と異なり、それは、高周波交換式、大電流低電圧変圧器で、主に、環形鉄心１（鉄粉心、或いは、ナノ結晶、或いは、アモルファスシリコン）により、一次コイル１０と二次側モジュール２を利用して、新開発のモジュール式設計により、変圧器を形成する。更に、冷却水により、大電流が生成する熱量を水により運び、変圧器の効率を向上させ、節電効果を達成する。
【０００９】
冷却水の装置は、図３の二次側モジュール２の軸向き断面図を参照し、二次側モジュール２中央環槽２０内に、一次側コイル１０を形成する環形鉄心１を置入し、大電流低電圧整流時、高温を生成するので、冷却して、正常な温度を維持し、変圧器の効率を向上させ、節電効果を達成する。本考案は、二次側モジュール２上下に、冷却進水孔２１０と冷却排水孔２２０を設置し、整流時、冷却水が冷却進水孔２１０から二次側モジュール２内部に進入し、冷却排水孔２２９から流出し、熱量を奪い、二次側モジュール２を正常な温度に維持する。
【図面の簡単な説明】
【００１０】
【図１】本考案の立体分解図である。
【図２】本考案の上視図である。
【図３】本考案の軸向き断面図である。
【符号の説明】
【００１１】
1環形鉄心
２  二次側モジュール
１０  一次側コイル
２１、２２  半円のモジュールブロック
２０  環槽
２３  絶縁材料
２１０  冷却進水孔
２２０  冷却排水孔
【図１】
0003145591.tif 000003
【図２】
0003145591.tif 000004
【図３】
0003145591.tif 000005
【手続補正書】
【提出日】平成20年6月24日(2008.6.24)
【手続補正１】
【補正対象書類名】明細書
【補正対象項目名】００１０
【補正方法】変更
【補正の内容】
【００１０】
二次側モジュール２の造型は、円形以外に、四角形、簡単な幾何学形、或いは、その他の不規則形状でもよい。
【手続補正２】
【補正対象書類名】明細書
【補正対象項目名】００１１
【補正方法】変更
【補正の内容】
【００１１】
よって、本考案の変圧器により整流を実行する時、以下のような長所が得られる。（１）本考案の環形鉄心１は、（鉄粉心、或いは、ナノ結晶、或いは、アモルファスシリコン）を採用し、新開発の一次側コイルと二次側モジュールと、高周波数交換式整流器の変圧器を構成し、高知のSCR制御整流器と比較すると、２０〜３０％の電力を節約することができる。（２）整流実行時、冷却水により変圧器内部で冷却でき、冷却水は回収できるので汚染を生じない。（３）SCR制御整流器の方式は、変圧器の鉄損と銅損が高く、効率が低く、体積が非常に大きく、空間を占有して、重いが、本考案の高周波数交換式整流器の変圧器は、節電可能で、体積が小さく、重量は公知の２０分の一で、運搬も施工も容易である。（４）本考案の高周波数交換式整流器は、新開発の二次側をモジュール式の変圧器に変更し、大電流低電圧の整流器に使用でき、効率も高い。
【手続補正３】
【補正対象書類名】明細書
【補正対象項目名】００１２
【補正方法】変更
【補正の内容】
【００１２】
本考案の環形鉄心（鉄粉心、或いは、ナノ結晶、或いは、アモルファスシリコン）からなる変圧器は、一次コイル方式と二次側モジュールの通水方式により変圧器を構成し、大電流低電圧の出力が可能で、高周波数交換式直流制御にとって、最適な変圧器設計であり、効率が高い。
【手続補正４】
【補正対象書類名】明細書
【補正対象項目名】００１３
【補正方法】変更
【補正の内容】
【００１３】
【図１】本考案の立体分解図である。
【図２】本考案の上視図である。
【図３】本考案の軸向き断面図である。
【手続補正５】
【補正対象書類名】明細書
【補正対象項目名】００１４
【補正方法】変更
【補正の内容】
【００１４】
1環形鉄心
２  二次側モジュール
１０  一次側コイル
２１、２２  半円のモジュールブロック
２０  環槽
２３  絶縁材料
２１０  冷却進水孔
２２０  冷却排水孔
【手続補正書】
【提出日】平成20年7月30日(2008.7.30)
【手続補正１】
【補正対象書類名】実用新案登録請求の範囲
【補正対象項目名】全文
【補正方法】変更
【補正の内容】
【実用新案登録請求の範囲】
【請求項１】
高周波交換式直流整流器、大電流低電圧の変圧器構造であって、環形鉄心により、一次側銅線巻き線、及び、二次側モジュールにより組成され、前記二次側モジュールは、環槽を形成し、前記一次側コイルの環形鉄心を置入すると共に、冷却進水孔と冷却排水孔を設置して、高周波変圧器の大電流が生成する熱量を、二次側モジュールの冷却方式により、熱量を水で奪うことを特徴とする変圧器構造。
【請求項２】
前記高周波変圧器は、二次側モジュール内部に冷却水管を設置することを特徴とする請求項１に記載の変圧器構造。
【請求項３】
前記冷却水管は内から外に延伸し、且つ、少なくとも、進水孔と排水孔を形成し、前記変圧器を正常な操作温度に冷却し、前記変圧器に最高効率を発揮させることを特徴とする請求項２に記載の変圧器構造。